(57)【要約】【課題】溶接作業を減らしてコスト低減を図ることができるカウンタウエイトの提供。【解決手段】ベースウエイト６０と、ベースウエイトに装着される付加ウエイトとを備える作業機械のカウンタウエイトにおいて、ベースウエイト６０は、複数の型鋼６２１〜６２４により構成され、複数の充填用空間Ｄ１〜Ｄ１３を形成する枠構造体６２と、充填用空間Ｄ１〜Ｄ１３に充填された充填材とを備える。【選択図】図３
2017145095.tif 000002
【特許請求の範囲】
【請求項１】
ベースウエイトと、前記ベースウエイトに装着される付加ウエイトとを備える作業機械のカウンタウエイトにおいて、
前記ベースウエイトは、
複数の型鋼により構成され、複数の充填用空間を形成する枠構造体と、
前記充填用空間に充填された充填材とを備える、作業機械のカウンタウエイト。
【請求項２】
請求項１に記載の作業機械のカウンタウエイトにおいて、
並置された複数の第１型鋼と、
隣接する２つの前記第１型鋼の隙間に該第１型鋼の長手方向に沿って複数配置され、各々が前記２つの第１型鋼のそれぞれに溶接される接続用の第２型鋼とを備える、作業機械のカウンタウエイト。
【請求項３】
請求項２に記載の作業機械のカウンタウエイトにおいて、
前記第１型鋼の長手方向における前記第２型鋼の位置は、前記ベースウエイトにおける作業機械との連結箇所同士を結ぶ線上に設定されている、作業機械のカウンタウエイト。
【請求項４】
請求項２に記載の作業機械のカウンタウエイトにおいて、
前記第１型鋼と前記第２型鋼との間に配置され、前記第１型鋼および前記第２型鋼に溶接される補強部材を備える、作業機械のカウンタウエイト。
【請求項５】
請求項２に記載の作業機械のカウンタウエイトにおいて、
前記ベースウエイトは、該ベースウエイトの長手方向が作業機械の前後方向に交差するとともに、前記長手方向の両端に前記付加ウエイトがそれぞれ装着され、
前記第１型鋼は前記ベースウエイトの長手方向の一端から他端に延在する、作業機械のカウンタウエイト。
【発明の詳細な説明】
【技術分野】
【０００１】
本発明は、クレーンや油圧ショベル等の作業機械に搭載されるカウンタウエイトに関する。
【背景技術】
【０００２】
従来から、筐体内に充填材を充填したカウンタウエイトが知られている（例えば、特許文献１参照）。そのようなカウンタウエイトでは、金属製の板材を溶接して形成された筐体にさらに複数の仕切り板を溶接することにより複数の区画を形成し、各区画にコンクリート等の充填材を充填している。このような充填型のカウンタウエイトは、小型の作業機械では良く利用されている。
【先行技術文献】
【特許文献】
【０００３】
【特許文献１】特開２００６−５７３７３号公報
【発明の概要】
【発明が解決しようとする課題】
【０００４】
ところで、充填型のカウンタウエイトを大型の作業機械に適用する場合、筐体や仕切り板の強度を増すために厚板を用いる必要がある。しかしながら、厚板により構成すると溶接量が多くなり、溶接作業の増加によりコスト高となるという課題があった。
【課題を解決するための手段】
【０００５】
本発明の一態様による作業機械のカウンタウエイトは、ベースウエイトと、前記ベースウエイトに装着される付加ウエイトとを備え、前記ベースウエイトは、複数の型鋼により構成され、複数の充填用空間を形成する枠構造体と、前記充填用空間に充填された充填材とを備える。
【発明の効果】
【０００６】
本発明によれば、溶接作業を減らしてコスト低減を図ることができるカウンタウエイト。
【図面の簡単な説明】
【０００７】
【図１】図１は、カウンタウエイトを搭載する作業機械の一例を示す図である。
【図２】図２は、リアフレームに装着されたカウンタウエイトの拡大図である。
【図３】図３は、ベースウエイトを示す図である。
【図４】図４は枠構造体の基本構成を示す斜視図である。
【図５】図５は、ベースウエイトに設けられる化粧板を示す図である。
【図６】図６は、ベースウエイトの断面構造を示す図である。
【図７】図７は、ベースウエイトの装着方法を示す図である。
【図８】図８は、変形例を示す図である。
【図９】図９は、比較例と本実施の形態との対比を説明する図である。
【発明を実施するための形態】
【０００８】
以下、図面を参照して本発明の一実施の形態による作業機械のカウンタウエイトについて詳細に説明する。図１は、カウンタウエイトを搭載する作業機械の一例を示す図であり、クレーンの外観側面図である。
【０００９】
下部走行体１の上方には上部旋回体２が旋回可能に搭載されている。上部旋回体２の前部には、前後方向に回動可能にブーム３が軸支されている。上部旋回体２には前後方向に回動可能に支持されたライブマスト４が設けられ、そのライブマスト４によりブーム３が起伏動される。運転室５は、上部旋回体２のフロントフレーム２０１上に設けられている。上部旋回体２のリアフレーム２００の後端部には、カウンタウエイト６が装着される。
【００１０】
ブーム３の先端部からはワイヤロープ１０を介してフック１１が吊り下げられている。ワイヤロープ１０は不図示のドラムの駆動により巻き取りまたは繰り出され、これによりフック１１が昇降する。ブーム３の先端部とライブマスト４の先端部とはペンダントロープ１２で接続されている。ライブマスト４の先端部とリアフレーム２００の後端部にはシーブ１３，１４がそれぞれ設けられ、シーブ１３とシーブ１４との間に起伏ロープ１５が掛け回されている。起伏ロープ１５は不図示の起伏ドラムの駆動により巻き取りまたは繰り出され、これによりライブマスト４が前後方向に回動し、ペンダントロープ１２を介してブーム３が起伏する。
【００１１】
図２は、リアフレーム２００の後部に装着されたカウンタウエイト６の拡大図である。図２（ａ）は平面図であり、図２（ｂ）は車両後方から見た図である。カウンタウエイト６は、ベースウエイト６０と付加ウエイト６１とから成る。
【００１２】
ベースウエイト６０は、その長手方向が作業機械の左右方向と一致するようにリアフレーム２００に装着されている。そして、そのベースウエイト６０の左右にそれぞれ設けられた３つのガイド６３４ａ，６３４ｂ（図３参照）上に付加ウエイト６１がそれぞれ位置決めされて載置される。ガイド６３４ａ，６３４ｂは後述する。図２に示す例では、ベースウエイト６０の左右に、それぞれ７つの付加ウエイト６１が載置されている。一般的に、付加ウエイト６１は鋳造により形成される。付加ウエイト６１の上面にはガイド６００ａ、６００ｂが形成されており、付加ウエイト６１の底面にはガイド６００ａ、６００ｂに係合する形状の凸部（不図示）が形成されている。
【００１３】
図３は、上側（付加ウエイト６１が載置される側）の化粧板を外した状態のベースウエイト６０を示す図である。図３（ａ）はベースウエイト６０の平面図であり、図３（ｂ）はＡ矢視図であり、図３（ｃ）はＢ矢視図である。ベースウエイト６０は、型鋼を用いた枠構造体６２を備える。
【００１４】
先ず、枠構造体６２の基本構成について説明する。図４（ａ）は枠構造体６２の基本構成を示す斜視図である。なお、枠構造体６２の長手方向は車両の左右方向に一致している。枠構造体６２は１０個の型鋼で構成されており、長手方向に延在する４つの型鋼６２１〜６２３と、それら４つの型鋼を一体に接続するための６つの型鋼６２４とを備えている。
【００１５】
本実施の形態では、型鋼６２１〜６２４にはＨ鋼が使用されている。Ｈ鋼は、ウェブ６２０ａの両端にフランジ６２０ｂを備えている。枠構造体６２における各型鋼６２１〜６２４は、ベースウエイト６０の天地方向にウェブ６２０ａが位置するように配置されている。隣接して配置された一対の型鋼６２１は、それらの隙間に配置された２つの型鋼６２４をそれぞれ溶接することによって接続される。同様に、型鋼６２１と型鋼６２２、および型鋼６２１と型鋼６２３についても、２つの型鋼６２４によってそれぞれ接続される。型鋼６２２には、固定部６３６（図３参照）を取り付けるための切り欠き６２２ａが形成されている。固定部６３６は、後述するように、ベースウエイト６０をリアフレーム２００に取り付けるための部材である。
【００１６】
なお、接続用の型鋼６２４の延在方向は、ベースウエイト６０の長手方向（車両左右方向）と直交する方向となっている。そのため、長手方向に延在する型鋼６２１，６２２，６２３のフランジ６２０ｂと型鋼６２４のフランジ６２０ｂとが突き合わせ溶接されることになる。そこで、図４（ｂ），（ｃ）および図６（ｃ）に示すように、接続部における強度を補強するために、厚板から成る補強部材６２５を型鋼６２１，６２２，６２３と型鋼６２４との隙間に溶接するようにした。図６（ｃ）は、図４のＥ−Ｅ断面を示す図であり、補強部材６２５にハッチングを施して示した。例えば、図４（ｂ）、（ｃ）のように型鋼６２３と型鋼６２４との接続を見ると、補強部材６２５の４辺は型鋼６２３および型鋼６２４に溶接されるので、型鋼６２３と型鋼６２４との接続強度が向上する。なお、型鋼６２１の下側には、化粧板６５１が設けられている。
【００１７】
図３に戻って、図３（ａ）に示すように、型鋼６２２，６２３の上面には付加ウエイト６１を載置するためのガイド６３４ａが設けられ、一対の型鋼６２１の上面にはガイド６３４ｂが設けられる。付加ウエイト６１は、ガイド６３４ａ，６３４ｂを介して位置決めされ、型鋼６２１，６２２，６２３の上に載置される。
【００１８】
枠構造体６２には、ベースウエイト６０をリアフレーム２００に装着するための固定部６３６，６３７が設けられている。上述した接続用の型鋼６２４は、固定部６３６と固定部６３７とを結ぶ線上に設けられている。図２と図６に示すように、車両左側の固定部６３６，６３７はフレーム２００を構成する左側のフレーム部材により支持され、車両右側の固定部６３６，６３７はフレーム２００を構成する右側のフレーム部材により支持される。そのため、型鋼６２４を固定部６３６と固定部６３７とを結ぶ線上に設けることで、支持力に対する枠構造体６２の強度を高めることができる。
【００１９】
型鋼６２１の左右両端面には、化粧板６３２が溶接されている。化粧板６３２には、吊り環６３５が設けられている。また、型鋼６２２および型鋼６２３の左右両端には、仕切り板６３１が設けられている。また、一対の型鋼６２１の間にも、仕切り板６３８が左右対称な位置に設けられている。さらに仕切り板６３１の端部から化粧板６３２の端部までの範囲に化粧板６３０が設けられている。その結果、１３箇所の充填用空間Ｄ１〜Ｄ１３が形成される。
【００２０】
仕切り板６３１，化粧板６３０，６３２および型鋼６２１により、充填用空間Ｄ１，Ｄ２，Ｄ１２およびＤ１３が形成される。型鋼６２２、仕切り板６３１、型鋼６２１、補強部材６２５および型鋼６２４によって充填用空間Ｄ３およびＤ９が形成される。一対の型鋼６２１、仕切り板６３８、補強部材６２５および型鋼６２４によって充填用空間Ｄ４およびＤ１０が形成される。型鋼６２３、仕切り板６３１、型鋼６２１、補強部材６２５および型鋼６２４によって充填用空間Ｄ５およびＤ１１が形成される。型鋼６２２、型鋼６２１、型鋼６２４および補強部材６２５によって充填用空間Ｄ６が形成される。一対の型鋼６２１、型鋼６２４および補強部材６２５によって充填用空間Ｄ７が形成される。型鋼６２３、型鋼６２１、型鋼６２４および補強部材６２５によって充填用空間Ｄ８が形成される。
【００２１】
図５は、ベースウエイト６０の上側に設けられる化粧板を示す図である。化粧板６４０は、図３（ａ）に示すベースウエイト６０の左側の仕切り板６３１と化粧板６３２との間の領域を覆う。化粧板６４１は、左右の仕切り板６３１の間の領域を覆う。化粧板６４２は、右側の仕切り板６３１と化粧板６３２との間の領域を覆う。化粧板６４０および６４２には、図３（ａ）に示すガイド６３４ｂが貫通する半円形状の切り欠き６４０ａ，６４２ａが形成されている。なお、ベースウエイト６０の底面側に設けられる化粧板も、図５に示した化粧板６４０〜６４２とほぼ同様の形状を有しているが、切り欠き切り欠き６４０ａ，６４２ａは形成されていない。
【００２２】
図６（ａ）は図３（ａ）のＣ１−Ｃ１断面図であり、図６（ｂ）はＣ２−Ｃ２断面図である。図３（ａ）に示した充填用空間Ｄ１〜Ｄ１３には、図６（ａ），（ｂ）に示すように、ベースウエイト６０の重量を確保するための充填材６６０が充填される。充填材６６０としては、コンクリートや、コンクリートに鉄材（スラグ等）を混入したもの等が使用される。なお、図６（ｃ）では、充填材６６０の図示を省略した。
【００２３】
図７は、リアフレーム２００へのベースウエイト６０の装着方法を示す図である。図７（ａ）は装着前の状態を示しており、図７（ｂ）は装着後の状態を示す。図７（ａ）に示すように、ベースウエイト６０の固定部６３７にはピン６３７ｐが装着されている。ベースウエイト６０をリアフレーム２００に装着する際には、ベースウエイト６０に設けられている吊り環６３５（図３参照）を用いてベースウエイト６０を吊り上げる。リアフレーム２００には、ベースウエイト６０を装着するための固定部２１０およびピン穴２１１が設けられている。固定部２１０はＬ字形状を成し、車両後方に向けて爪部２１０ａが突出している。
【００２４】
図７（ａ）の矢印Ｒのように、リアフレーム２００の下側からベースウエイト６０を上方に移動して、固定部６３７のピン６３７ｐをリアフレーム２００の爪部２１０ａの上に掛ける。次いで、図７（ｂ）のように、固定部６３６のピン穴６３６ｐがリアフレーム２００のピン穴２１１に対向するようにベースウエイト６０を位置決めし、ピン穴６３６ｐおよびピン穴２１１にピンＰを挿し込む。その結果、ベースウエイト６０がリアフレーム２００の下側に装着される。
【００２５】
図８は、ベースウエイト６０の変形例を示す図である。上述したベースウエイト６０では、車両左右方向に延在する型鋼を車両前後方向に複数並べ、それらを接続用の型鋼で接続して枠構造体６２を形成した。一方、図８に示すベースウエイト６０Ａでは、車両前後方向に延在する型鋼を車両左右方向に複数並べ、それらを接続用の型鋼で接続して枠構造体６２Ａを形成するようにした。
【００２６】
図８（ａ）は平面図であり、図３（ａ）の場合と同様に、内部構造が分かるようにベースウエイト６０Ａの上面を覆う化粧板の図示を省略した。図８（ｂ）はＣ４−Ｃ４断面図であり、図８（ｃ）はＣ５−Ｃ５断面図である。
【００２７】
７個の型鋼６７４，６７５，６７６，６７７はそれぞれ車両前後方向に延在する。これらの型鋼６７４〜６７７は、車両左右方向に延在する２０個の型鋼６７１，６７２，６７３によって互いに接続されている。このように、枠構造体６２Ａは、２７個の型鋼が用いられている。型鋼６７４〜６７７と接続用の型鋼６７１〜６７３との間には補強部材６７８が設けられている。例えば、図８（ｂ）の断面図に示すように、前後方向に延在する型鋼６７６と接続用の型鋼６７３との間に、補強部材６７８が設けられている。なお、車両前後方向に延在する型鋼６７６は、ベースウエイト６０Ａをリアフレーム２００に固定する固定部６３６と固定部６３７とを結ぶ線上に配置されている。
【００２８】
図８（ａ）の充填用空間Ｄ１〜Ｄ１６に充填材６６０が充填される。図８（ｃ）はＣ５−Ｃ５断面を示したものであり、型鋼６７３の間に形成された充填用空間Ｄ９，Ｄ１０，Ｄ１１には充填材６６０が充填される。型鋼６７５，６７６，６７７の前後方向端面には化粧板６５２が設けられている。
【００２９】
図９は、比較例と本実施の形態との対比を説明する図である。図９（ａ）は、図３のＣ１−Ｃ１断面図を示したものである。なお、図９（ａ）では充填材６６０の表示は省略した。図９（ｂ）はＨ鋼の代わりに厚板７００〜７０２を用いて図９（ａ）と同様の枠構造体を構成した場合の断面図である。
【００３０】
図９（ｂ）の場合、厚板７００〜７０２を溶接することで型鋼６２２と同様のＨ形状の構造体としている。そのため、４箇所の溶接部７０３において溶接する必要がある。特に、厚板７００〜７０２の板厚が厚い場合、溶接部７０３において必要とされる溶接量が増すため、複数パスの溶接作業を必要とされる。このように、図９（ｂ）の構造と比較して図９（ａ）の構造では、型鋼を使用したことにより溶接作業量を大きく減らすことができる。また、図９（ａ）の構造では、型鋼を用いることで溶接箇所が減り、枠構造体の強度面でも優れている。
【００３１】
上述した実施の形態によれば、次の作用効果が得られる。
（１）図３に示すように、ベースウエイト６０は、複数の型鋼６２１〜６２４により構成され、複数の充填用空間Ｄ１〜Ｄ１３を形成する枠構造体６２と、充填用空間Ｄ１〜Ｄ１３に充填された充填材６６０とを備える。このように、枠構造体６２に型鋼を用いることにより、図９で説明したように溶接作業を減らすことができ、コスト低減を図ることができる。
【００３２】
（２）さらに、図３に示すように、並置された複数の第１型鋼である型鋼６２１〜６２３と、隣接する２つの第１型鋼の隙間に該第１型鋼の長手方向に沿って複数配置され、各々が２つの第１型鋼のそれぞれに溶接される接続用の第２型鋼である型鋼６２４とを備えるのが好ましい。このような構成とすることにより、従来例のように複数枚の厚板を溶接してカウンタウエイト枠構造体を製作する場合に比べて、複数の溶接パスが不要となり、第１型鋼と第２型鋼との溶接作業が行い易く、また、充填作業のし易い複数の充填用空間Ｄ１〜Ｄ１３が形成される。
【００３３】
（３）型鋼６２１〜６２３の長手方向における型鋼６２４の位置は、ベースウエイト６０における作業機械との連結箇所である固定部６３６，６３７を結ぶ線上に設定されているのが好ましい。このように構成することで、ベースウエイト６０の連結部における強度を向上させることができる。
【００３４】
（４）型鋼６２１〜６２３とそれらを接続する型鋼６２４との間に補強部材６２５を配置し、補強部材６２５を型鋼６２１〜６２３と型鋼６２４とにそれぞれ溶接しているので、型鋼６２１〜６２３と型鋼６２４との間の接続強度を向上させることができる。
【００３５】
（５）ベースウエイト６０は、図２に示すようにベースウエイト６０の長手方向が作業機械の前後方向に交差するとともに、長手方向の両端に付加ウエイト６１がそれぞれ装着される。そして、図３に示すように、第１型鋼である型鋼６２１〜６２３はベースウエイト６０の長手方向の一端から他端に延在する。このように、付加ウエイト６１は型鋼６２１〜６２３の両端に載置されるため、付加ウエイト６１の荷重に対するベースウエイト６０の強度を高めることができる。なお、左右の重量バランスを考慮し、付加ウエイト６１は図２に示すように左右対称に配置される。
【００３６】
なお、以上の説明はあくまでも一例であり、本発明の特徴を損なわない限り、本発明は上記実施の形態に何ら限定されるものではない。例えば、枠構造体に用いる型鋼としては、上述したＨ型鋼に限らず、Ｉ型鋼、山型鋼、溝型鋼、角型鋼等、種々の型鋼を使用することができる。また、Ｈ型鋼の組み合わせも種々の形態が採用可能であり、さらに、Ｈ型鋼とＩ型鋼を組み合わせるなど、異なる断面形状の型鋼を組み合わせてもよい。
【符号の説明】
【００３７】
６…カウンタウエイト、６０，６０Ａ…ベースウエイト、６１…付加ウエイト、６２，６２Ａ…枠構造体、２００…リアフレーム、２１０…固定部、２１０ａ…爪部、２１１，６３６ｐ…ピン穴、６２１〜６２４，６７１〜６７６…型鋼、６２５，６７８…補強部材、６３１，６３８…仕切り板、６３０，６３２，６４０〜６４２，６５１，６５２…化粧板、６３６，６３７…固定部（連結箇所）、６３７ｐ…ピン、６６０…充填材、Ｄ１〜Ｄ１６…充填用空間、Ｐ…ピン
【図１】
2017145095.tif 000003
【図２】
2017145095.tif 000004
【図３】
2017145095.tif 000005
【図４】
2017145095.tif 000006
【図５】
2017145095.tif 000007
【図６】
2017145095.tif 000008
【図７】
2017145095.tif 000009
【図８】
2017145095.tif 000010
【図９】
2017145095.tif 000011